(57)【要約】【課題】簡便に種々の情報を表示できるようにした呼出表示装置を得る。【解決手段】情報を表示する表示部８と、表示部８に表示させる表示データを記憶するメモリ１２とを備え、メモリ１２に記憶された表示データを表示部８に表示させる。また、赤外線通信により識別コードを送信するリモコン１６と、キー入力に応じて編集されたキャラクターコードを表示データに変換して、表示データを赤外線通信により送信可能な携帯端末１８と、赤外線通信を受信可能な赤外線通信回路１４とを備え、赤外線通信回路１４が赤外線通信によりリモコン１６からの識別コードを受信したときに、赤外線通信回路１４を介して赤外線通信による表示データを受信して、メモリ１２に表示データを記憶させる。携帯端末１８は、ウエブサーバ２０からのソフトウエアをダウンロード可能な携帯電話で、ソフトウエアは編集されたキャラクターコードを表示データに変換する。【選択図】  図１
2007195894.tif 000002
【特許請求の範囲】
【請求項１】
情報を表示する表示手段と、
該表示手段に表示させる表示データを記憶する記憶手段と、
前記記憶手段に記憶された前記表示データを前記表示手段に表示させる表示制御手段とを備え、設置島に配列された各遊技機毎に設けられる呼出表示装置において、
赤外線通信により識別コードを送信するリモコンと、
キー入力に応じて編集されたキャラクターコードを表示データに変換して、該表示データを赤外線通信により送信可能な携帯端末と、
赤外線通信を受信可能な赤外線通信手段とを備え、
前記表示制御手段は、前記赤外線通信手段が赤外線通信により前記リモコンからの前記識別コードを受信したときに、前記赤外線通信手段を介して赤外線通信による前記表示データを受信して、前記記憶手段に前記表示データを記憶させることを特徴とする呼出表示装置。
【請求項２】
前記携帯端末は、ウエブサーバからのソフトウエアをダウンロード可能な携帯電話で、該ソフトウエアはキー入力に応じて編集されたキャラクターコードを表示データに変換することを特徴とする請求項１に記載の呼出表示装置。
【請求項３】
前記記憶手段は、複数の前記表示データを記憶可能で、前記表示制御手段は、前記リモコンにより前記記憶手段に記憶された複数の前記表示データを選択して前記表示手段に表示させることを特徴とする請求項１又は請求項２に記載の呼出表示装置。
【発明の詳細な説明】
【技術分野】
【０００１】
本発明は、設置島に配列された各遊技機毎に設けられ、遊技者への情報を表示する呼出表示装置に関する。
【背景技術】
【０００２】
従来より、設置島に配列された各遊技機毎に呼出表示装置が設けられており、呼出表示装置には、遊技場の従業員を呼び出すための呼出スイッチが設けられ、呼出スイッチを操作することにより、呼出ランプが点灯する。また、呼出表示装置に設けられた表示部には、種々の情報、例えば、遊技機の大当り回数、スタート回数などの情報を表示するようにしている。
【０００３】
更に、特許文献１にあるように、呼出表示装置に赤外線通信機能を持たせ、呼出表示装置と遊技者の携帯電話との間に赤外線通信による相互通信を可能としたシステムも提案されている。このシステムでは、遊技者の携帯電話からのデータ要求に応じて、呼出表示装置から携帯電話に遊技機データを送信し、携帯電話の表示画面に遊技機データを表示できるようにしている。
【特許文献１】特開２００４−２６７３０９号公報
【発明の開示】
【発明が解決しようとする課題】
【０００４】
こうした従来のものでは、呼出表示装置から携帯電話に遊技機データを送信して、携帯電話の表示画面に遊技機データを表示することはできる。しかし、呼出表示装置の表示部に遊技機から得られる情報以外の情報を表示させようとすると、特に、文字情報からなるメッセージ等を呼出表示装置に表示させようとすると、呼出表示装置にキーボードや文書編集プログラム等を記憶させたメモリや処理回路等を設けなければならず、呼出表示装置が複雑になるという問題があった。
【０００５】
本発明の課題は、簡便に種々の情報を表示できるようにした呼出表示装置を提供することにある。
【課題を解決するための手段】
【０００６】
かかる課題を達成すべく、本発明は課題を解決するため次の手段を取った。即ち、
情報を表示する表示手段と、
該表示手段に表示させる表示データを記憶する記憶手段と、
前記記憶手段に記憶された前記表示データを前記表示手段に表示させる表示制御手段とを備え、設置島に配列された各遊技機毎に設けられる呼出表示装置において、
赤外線通信により識別コードを送信するリモコンと、
キー入力に応じて編集されたキャラクターコードを表示データに変換して、該表示データを赤外線通信により送信可能な携帯端末と、
赤外線通信を受信可能な赤外線通信手段とを備え、
前記表示制御手段は、前記赤外線通信手段が赤外線通信により前記リモコンからの前記識別コードを受信したときに、前記赤外線通信手段を介して赤外線通信による前記表示データを受信して、前記記憶手段に前記表示データを記憶させることを特徴とする呼出表示装置がそれである。
【０００７】
前記携帯端末は、ウエブサーバからのソフトウエアをダウンロード可能な携帯電話で、該ソフトウエアはキー入力に応じて編集されたキャラクターコードを表示データに変換するものでもよい。また、前記記憶手段は、複数の前記表示データを記憶可能で、前記表示制御手段は、前記リモコンにより前記記憶手段に記憶された複数の前記表示データを選択して前記表示手段に表示させるようにしてもよい。
【発明の効果】
【０００８】
本発明の呼出表示装置は、携帯端末から表示データを赤外線通信により送信し、表示制御手段が記憶手段に表示データを記憶させるので、表示制御手段が文章編集機能等を備える必要がないので、簡便に種々の情報を表示できるという効果を奏する。また、リモコンからの識別コードを受信したときに、表示データを記憶するので、単に、携帯端末から表示データの送信があっても、表示データを記憶することはなく、誤って、表示データを記憶することがない。
【発明を実施するための最良の形態】
【０００９】
以下本発明を実施するための最良の形態を図面に基づいて詳細に説明する。
図１に示すように、１はパチンコ台やスロットルマシン等の遊技機であり、複数の遊技機１が並べられて設置島を形成している。遊技機１の上側には、呼出表示装置２が配置されている。呼出表示装置２は、呼出ランプ４と呼出スイッチ６とを備えると共に、表示手段としての表示部８を備えている。
【００１０】
呼出スイッチ６を操作することにより、呼出ランプ４が点灯するように構成されている。また、表示部８は、液晶等の多数の画素の集合により、文字や数字等を表示できるものである。
【００１１】
表示部８は表示制御回路１０に接続されており、表示制御回路１０は記憶手段としてのメモリ１２に記憶された表示データを表示部８に表示させると共に、表示制御回路１０には、遊技機１からも情報データ、例えば、大当り回数、スタート回数等の情報データが入力され、これらの情報を表示部８に表示させる。表示制御回路１０には、赤外線通信手段としての赤外線通信回路１４が接続されており、赤外線通信回路１４は赤外線通信により受信した信号を表示制御回路１０に出力する周知の回路である。
【００１２】
また、赤外線通信回路１４との赤外線通信可能なリモコン１６を備えており、リモコン１６には、予め識別コードが記憶されている。リモコン１６からは、少なくともこの識別コードが赤外線通信により送信可能に構成されている。識別コードはリモコン１６が異なれば異なる識別コードが付与され、メモリ１２にも同じ識別コードが記憶されている。本実施形態では、リモコン１６からは、識別コード以外にも、他のコード等を赤外線送信可能である。
【００１３】
更に、携帯電話を用いた携帯端末１８を備えており、携帯端末１８は無線による通話が可能であると共に、データ等を赤外線により送受信する赤外線通信機能も備えている。携帯端末１８はキー操作により、日本語の文章編集機能も備えており、キー操作によりキャラクターコードに応じた文字等が携帯端末１８の表示画面に表示される。携帯端末１８にはカメラも搭載されており、撮影した画像を表示画面に表示できる。
【００１４】
携帯端末１８はインターネット回線にも接続可能で、インターネット回線を通じて、ｉアプリ（登録商標）等の機能を用いて、ウエブサーバ２０からソフトウエアをダウンロード可能である。携帯端末１８には、ウエブサーバ２０から予めキャラクターコードを表示データ及び画像を表示データに変換するソフトウエアがダウンロードされ、携帯端末１８にインストールされている。表示データは、表示部８の各画素のオン・オフに対応したデータである。
【００１５】
次に、前述した表示制御回路１０において行われる表示制御処理について、図２のフローチャートによって説明する。尚、本実施形態では表示制御処理の実行が表示制御手段として働く。
【００１６】
前述したリモコン１６と携帯端末１８とは、遊技場の１人の従業員が両方を所持している。そして、呼出表示装置２の表示部８に「本日の大当り台」等の文章を表示させる際には、従業員が、携帯端末１８のキー操作により、携帯端末１８の文章編集機能を用いて、「本日の大当り台」等の文字列からなる文章を編集する。
【００１７】
次に、リモコン１６を操作して、識別コードを赤外線通信により送信する。表示制御処理では、まず、リモコン１６が操作されて、識別コードが赤外線通信により送信されたか否かを、赤外線通信回路１４を介して、識別コードが受信されたか否かにより判断する（ステップ１００）。リモコン１６から送信された識別コードが予めメモリ１２に記憶された識別コードと一致しないときには、そのまま、本制御処理を繰り返し実行する。
【００１８】
リモコン１６から送信された識別コードが予めメモリ１２に記憶された識別コードと一致したときには、赤外線通信により、データの受信があったか否かを判断する（ステップ１１０）。データの受信がないときには待期し、データの受信があったときには、そのデータが表示データか否かを判断する（ステップ１２０）。
【００１９】
従業員が、携帯端末１８で編集した「本日の大当り台」等の文章を、携帯端末１８が編集した文章をインストールしたソフトウエアにより表示データに変換し、その変換した表示データを携帯端末１８から赤外線通信により送信する。尚、文章に代えて、画像を表示データに変換して送信してもよい。
【００２０】
データが表示データであるときには、表示データをメモリ１２に記憶する（ステップ１３０）。データが表示データでないときには、そのデータに応じた他の処理を行なう（ステップ１４０）。
【００２１】
このように、表示制御回路１０が赤外線通信回路１４を介して携帯端末１８からの表示データを受信して、メモリ１２に記憶する。本実施形態では、複数の表示データを記憶して、選択的に表示部８に表示することができる。リモコン１６により、メモリ１２に記憶した複数の表示データを選択して、表示部８に表示させる。文章の表示は、表示部８にスクロールによる表示でもよく、あるいは、固定した表示であってもよい。
【００２２】
リモコン１６を所持している従業員が、リモコン１６から識別コードを送信して、メモリ１２に書込可能な状態にして、携帯端末１８の文章編集機能を利用して、文章を編集し、その編集した文章を表示データに変換して、赤外線通信により送信する。よって、表示制御回路１０ではキャラクターコード等のデータを予め記憶している必要がなく、また、表示制御回路１０に文章編集機能を設けなくてもよいので、表示制御回路１０やメモリ１２の容量が小さくてもよい。しかも、各遊技機１毎の表示部８の表示内容を異なるものとすることもできる。
【００２３】
しかも、リモコン１６を操作して識別コードを送信しなければ、メモリ１２に記憶させることができないので、遊技者が勝手に表示内容を変更したりすることがない。また、携帯端末１８として、携帯電話を用いることができ、従業員が所有している携帯電話をそのまま使用できる。
【００２４】
以上本発明はこの様な実施形態に何等限定されるものではなく、本発明の要旨を逸脱しない範囲において種々なる態様で実施し得る。
【図面の簡単な説明】
【００２５】
【図１】本発明の一実施形態としての呼出表示装置の概略構成図である。
【図２】本実施形態の表示制御回路において行われる表示制御処理の一例を示すフローチャートである。
【符号の説明】
【００２６】
１…遊技機            ２…呼出表示装置
４…呼出ランプ        ６…呼出スイッチ
８…表示部            １０…表示制御回路
１２…メモリ          １４…赤外線通信回路
１６…リモコン        １８…携帯端末
２０…ウエブサーバ
【図１】
2007195894.tif 000003
【図２】
2007195894.tif 000004